(57)【特許請求の範囲】
【請求項１】
外箱（１０１）と、その外箱（１０１）内に上下動可能に納めた内箱（２０１）と、前記外箱（１０１）に起伏可能に設けた蓋（９０１）とを有し、
上記蓋（９０１）には、外箱（１０１）の側面に沿った後、外箱（１０１）内の前記内箱（２０１）下面に至る断面Ｌ字状の押し上げ片（５３）が設けられており、前記蓋（９０１）を開放して前記押し上げ片（５３）がそのＬ字状の稜線（５３ｃ）を支点として回動すると、その押し上げ片（５３）の先端部によって前記内箱（２０１）が持ち上げられる組箱において、
上記内箱（２０１）はその全体が外箱（１０１）に対して上下動可能に納められており、その内箱（２０１）の外底面と外箱（１０１）の内底面（１１）との間に中敷き片（５２’）を設け、この中敷き片（５２’）は、その一端に上記押し上げ片（５３）の一端が固定されているとともに、他端には起伏片（５４、５５、５６）が前記外箱内底面（１１）に向かってそれぞれ設けられており、上記蓋（９０１）を開放して前記押し上げ片（５３）がそのＬ字状の稜線（５３ｃ）を支点として回動すると、前記中敷き片（５２’）が前記起伏片（５４、５５、５６）の起立を伴い上昇して前記内箱（２０１）が持ち上げられることを特徴とする組箱。
【請求項２】
外箱（１０）と、その外箱（１０）内に上下動可能に納めた内箱（２０）と、前記外箱（１０）に起伏可能に設けた蓋（４０）とを有し、
上記蓋（４０）には、外箱（１０）の側面に沿った後、外箱（１０）内の前記内箱（２０）下面に至る断面Ｌ字状の押し上げ片（５３）が設けられており、前記蓋（４０）を開放して前記押し上げ片（５３）がそのＬ字状の稜線（５３ｃ）を支点として回動すると、その押し上げ片（５３）の先端部によって前記内箱（２０）が持ち上げられる組箱において、
上記内箱（２０）はその全体が外箱（１０）に対して上下動可能に納められており、上記蓋（４０）はその中程で２つに分割されて、その分割蓋（４０）には、分割線両側の外箱（１０）の対向する側面（１４）にそれぞれ沿った上記押し上げ片（５３）が設けられており、前記分割蓋（４０）を開放して前記押し上げ片（５３）がそのＬ字状の稜線（５３ｃ）をそれぞれ支点として回動すると、その両押し上げ片（５３）の先端部によって前記内箱（２０）が持ち上げられ、
かつ、内箱（２０）の外底面と外箱（１０）の内底面（１１）との間に並行する対の中敷き片（５２、５２）を設け、この両中敷き片（５２、５２）は、その一端に上記押し上げ片（５３）の一端がそれぞれ固定されているとともに、他端には起伏片（５４）が前記外箱内底面（１１）に向かってそれぞれ設けられており、上記蓋（４０）を開放して前記押し上げ片（５３）がそのＬ字状の稜線（５３ｃ）をそれぞれ支点として回動すると、前記中敷き片（５２）が前記起伏片（５４）の起立を伴い上昇して前記内箱（２０）が持ち上げられることを特徴とする組箱。
【請求項３】
上記押し上げ片（５３）の回動による上記中敷き片（５２、５２’）及び起伏片（５４、５６）の両起立高さを同じとしたことを特徴とする請求項１又は２に記載の組箱。
【請求項４】
上記押し上げ片（５３）の回動による上記中敷き片（５２、５２’）の起立高さを上記起伏片（５４、５６）の起立高さより高くしたことを特徴とする請求項１又は２に記載の組箱。
【発明の詳細な説明】
【技術分野】
【０００１】
この発明は、外箱と、その外箱内に納めた内箱と、前記外箱に起伏可能に設けた蓋とを有する組箱に関するものである。
【背景技術】
【０００２】
この種の組箱は、外箱内にさらに内箱があり、それの蓋を被せているため、高級感を醸し出し、化粧品等の詰め合わせ用包装箱等として使用される。
この組箱において、展示時や蓋を開けた時（開放時）、内箱を斜めに持ち上げたり、そのまま持ち上げたりすると、その内箱に納めた商品が見やすく、高級感が増す。その内箱を斜めにし得る組箱として、特許文献１、２等に記載のものがある。
【先行技術文献】
【特許文献】
【０００３】
【特許文献１】実公昭５１−３３１９６号公報
【特許文献２】特開平１０−２８７３２６号公報
【発明の概要】
【発明が解決しようとする課題】
【０００４】
上記従来の組箱は、いずれも蓋と内箱との間に動作の関連性がなく、高級感に欠ける。
この発明は、その蓋と内箱とをその動作に関連性を持たせて、蓋を開けた時の感動及び高級感を醸し出し得るようにすることを課題とする。
【課題を解決するための手段】
【０００５】
上記課題を達成するため、この発明は、蓋を開けた時、その開放動作に伴って内箱が持ち上げられるようにしたのである。
このようにすれば、蓋を開けると、内箱に収納された商品等は持ち上げられて、蓋を開けた者に迫ってくるため、その驚きとともに、その収納商品の高級感を醸し出す。
【０００６】
この発明の構成としては、外箱と、その外箱内に上下動可能に納めた内箱と、前記外箱に起伏可能に設けた蓋とを有し、前記蓋には、外箱の側面に沿った後、外箱内の前記内箱下面に至る断面Ｌ字状の押し上げ片が設けられた構成を採用することができる。
この構成であると、上記蓋を開放し、押し上げ片がそのＬ字状の稜線を支点として回動すると、その押し上げ片の先端部によって内箱が持ち上げられる。このとき、上記のように、蓋を開けた者に内箱が迫ってくるため、その驚きとともに、その収納商品の高級感を醸し出す。
【０００７】
この構成において、蓋が一つの場合は、その蓋の一側に沿って押し上げ片が設けられることとなり、蓋を開放すると、押し上げ片がそのＬ字状の稜線を支点として回動し、その押し上げ片の先端部によって内箱が持ち上げられる構成とし得る。
この構成の組箱は、片開きであって、蓋を開けると、内箱がその一側端でもって持ち上げられるため、内箱が斜めに持ち上がって斬新な動きを行う。
このとき、内箱をその一側上縁を支点として外箱内に起伏可能に納め、蓋はその内箱の前記支点を有する側面に対向する側面下縁側において押し上げ片を介して開放するようになっている構成とし得る。
この構成であると、蓋の開放に伴って、内箱全体が持ち上がると共に前方に傾き、内箱に収納された商品等は、蓋を開けた者に迫ってくるため、蓋を開けた者に迫ってくる驚き及び高級感の醸し出しがより顕著となる。
【０００８】
蓋がその中程で２つに分割されている場合は、その分割蓋には、分割線両側の外箱の対向する側面にそれぞれ沿った押し上げ片が設けられており、前記分割蓋を開放し、前記押し上げ片がそのＬ字状の稜線をそれぞれ支点として回動した際、その両押し上げ片の先端部によって内箱が持ち上げられる構成とし得る。
この構成の組箱は、両開きのものとなって、その蓋を開けると、内箱がその両端でもって持ち上げられるため、内箱全体が持ち上がって斬新な動きを行う。
このように、蓋を開けた際、内箱が持ち上がると、蓋を開けた者に迫ってくる驚き及び高級感の醸し出しがより顕著となる。
【０００９】
上記片開きの構成において、内箱の外底面と外箱の内底面との間に中敷き片を設け、この中敷き片は、その一端に上記押し上げ片の一端がそれぞれ固定されているとともに、他端には起伏片が外箱内底面に向かってそれぞれ設けられているものとすれば、蓋を開放して押し上げ片がＬ字状の稜線を支点として回動した際、その押し上げ片の回動により、前記中敷き片が前記起伏片の起立を伴って上昇し、その中敷き片は内箱下面の多くの面に接して内箱が持ち上げるものとし得るため、その内箱の持ち上げ作用が円滑となる。
このとき、押し上げ片の一端の起立高さと起伏片の起立高さを同じとすれば、内箱は水平を保って持ち上がり、一方、両起立高さを異ならせれば、内箱は傾斜して持ち上げられる。
【００１０】
また、両開きの構成において、内箱の外底面と外箱の内底面との間に並行する対の中敷き片を設け、この両中敷き片は、その一端に上記押し上げ片の一端がそれぞれ固定されているとともに、他端には起伏片が外箱内底面に向かってそれぞれ設けられているものとすれば、蓋を開放して押し上げ片がＬ字状の稜線を支点として回動した際、その押し上げ片の回動により、前記中敷き片が前記起伏片の起立を伴って上昇し、その中敷き片は内箱下面の多くの面に接して内箱が持ち上げるものとし得るため、その内箱の持ち上げ作用が円滑となる。
このとき、押し上げ片の回動による中敷き片及び起伏片の両起立高さを同じとすれば、内箱は水平を保って持ち上がる。
【００１１】
上記各構成の組箱において、押し上げ片を貼着した蓋、中敷き片又は両者の押し上げ片の周りに切り目を形成し、その押し上げ片を貼着した蓋及び中敷き片の部分を切り離し可能とすれば、その切り目を介してその押し上げ片を貼着した部分を他の中敷きや蓋等の部分と容易に切り離し得るため、分別回収に有利となる。
また、上記押し上げ片の断面Ｌ字状の屈曲角度は、蓋を被せた際、その蓋が外箱にすっぽり嵌るように、９０度等と適宜に設定すれば良いが、９０度未満とすれば、蓋が外箱に対して前屈みになるため、しっくり被さるとともに、蓋を開放した際、その開放状態が安定する。
【００１２】
これらの構成の組箱における内箱には商品がその一部を露出するように納まる凹部が形成されているものとすることができる。
【発明の効果】
【００１３】
この発明は、以上のように構成したので、蓋を開放することによって内箱が持ち上がるため、従来になかった斬新な組箱となる。
【図面の簡単な説明】
【００１４】
【図１】この発明に係る組箱の一実施形態の斜視図であって、（ａ）は蓋を閉じた状態、（ｂ）は蓋を開けた状態
【図２】同実施形態の切断正面図であって、（ａ）は図１（ａ）の要部部分、（ｂ）は図１（ｂ）の要部部分
【図３】同実施形態の外箱、内箱及び中敷きに分解した斜視図
【図４】同実施形態の内箱の分解斜視図
【図５】同実施形態の中敷きを示し、（ａ）は中敷き片の倒伏した状態、（ｂ）は同起立した状態
【図６】同実施形態の外箱ブランクの平面図
【図７】同実施形態の内箱ブランクの平面図であり、（ａ）は内箱本体、（ｂ）は中仕切
【図８】同実施形態の蓋ブランクの平面図
【図９】（ａ）、（ｂ）は同実施形態の中敷きのブランクの平面図、（ｃ）は同実施形態の押し上げ片の斜視図
【図１０】同実施形態の作用説明図
【図１１】この発明に係る組箱の他の実施形態の斜視図であって、（ａ）は蓋を閉じた状態、（ｂ）は蓋を開けた状態
【図１２】同実施形態の切断図であって、（ａ）は図１１（ａ）の切断側面図、（ｂ）は図１１（ｂ）の切断側面図
【図１３】同実施形態の外箱及び内箱に分解した斜視図
【図１４】同実施形態の内箱の分解斜視図
【図１５】同実施形態の外箱ブランクの平面図
【図１６】同実施形態の内箱ブランクの平面図であり、（ａ）は内箱本体、（ｂ）は中仕切
【図１７】（ａ）は同実施形態の蓋ブランクの平面図、（ｂ）は同実施形態の押し上げ片の斜視図
【図１８】同実施形態の作用説明図
【図１９】さらに他の実施形態の斜視図であって、（ａ）は蓋を閉じた状態、（ｂ）は蓋を開けた状態
【図２０】同実施形態の作用説明図
【図２１】同実施形態の外箱ブランクの平面図
【図２２】同実施形態の内箱ブランクの平面図であり、（ａ）は内箱本体、（ｂ）は中仕切
【図２３】同実施形態の蓋ブランク平面図
【図２４】同実施形態の中敷きを示し、（ａ）はブランクの平面図、（ｂ）は起立した状態の斜視図、（ｃ）は（ｂ）の切断正面図
【図２５】さらに他の実施形態の中敷きを示し、（ａ）はブランクの平面図、（ｂ）は起立した斜視図
【発明を実施するための形態】
【００１５】
この発明に係わる組箱の一実施形態を図１〜図１０に示し、この組箱Ｐ１は、四角状であって、図１、図２、図５に示すように、平面視四角形状の外箱１０と、その外箱１０内に上下動可能に納めた同平面視四角形状の内箱２０と、外箱１０の両側に起伏可能に設けた対の平面視四角形状の蓋４０、４０と、内箱２０の外底面と外箱１０の内底面との間に介在された中敷き５０とからなる。
【００１６】
外箱１０は、図６に示すボール紙製ブランク１０’から形成し、底板１１、長辺側の外側板１２、１２、同内側板１３、短辺側の外側板１４、同内側板１５、内側板１５の両側のフラップ片１６、１６、長短の両外側板１２、１４の側縁間の襠片１７、及び舌片１８とからなり、それらは折れ目線ｒ及び切り目線ｓを介して適宜に連接されている。また、底板１１と外側板１４及び内側板１５と舌片１８の間には四角状開口１９が形成されている。この図６のブランク１０’において、太線が切り目線ｓ、細線が折り目線ｒを示す。このｓ、ｒは以下のブランク２０’、３０’、４０’、６０’、７０’、８０’、９０’、１０’’、２０’’、３０’’、５０’’、５０’’’、９０’’においても同様である。
【００１７】
この構成のブランク１０’を、各折り目線ｒ及び切り目線ｓを介して側板１２、１３、１４、１５を順々に谷折り又は山折りし、フラップ片１６は相互の切り目線ｓでもって噛み合わせて図３に示す箱１０とする。この外箱１０は、同図に示すように、長方形をした四角状（平面視四角形状）箱であって、その短辺側の両側壁下縁に上記開口１９を有するものとなる。
【００１８】
内箱２０は、図７に（ａ）示すボール紙製ブランク２０’から形成し、底板２１、天板２３、長辺側の側板２２、２２、短辺側の外側板２４、同内側板２５、側板２２の両側のフラップ片２６、２６及び舌片２８とからなり、それらは折れ目線ｒ及び切り目線ｓを介して適宜に連接されている。また、天板２３の適宜な位置には切り目線ｓ及び折り目線ｒが形成されてその切り目線ｓ及び折り目線ｒを介してその部分を押し込むことによって商品Ａの収容用凹部２９を形成するようになっている（図３参照）。
【００１９】
内箱２０には中仕切３０が挿入され、その中仕切３０は図７（ｂ）に示すボール紙製ブランク３０’から形成し、底板３１、その両側の側板３２、３２、天板３３、その一側の側板３４とからなり、折り目線ｒを介し、底板３１に対して側板３２を谷折りし、さらに天板３３及び側板３４を山折りして、図４に示す態様とする。側板３２及び天板３３にはその両者の折り目線ｒを跨いで種々の形状の孔３５が形成されており、図１（ｂ）、図３に示すように、この中仕切３０を内箱２０内に挿入すると、その孔３５の一部の縁が上記収納用凹部２９における商品Ａの受け部３５ａとなる。
【００２０】
蓋４０は、図８に示す対のボール紙製ブランク４０’から形成し、天板４３、その長辺側の側板４２、同短辺側の外側板４４及び裏板４１、その一側の内側板４５、側板４２、４４の側縁合間の襠片４７、及び舌片４８とからなり、それらは折れ目線ｒ及び切り目線ｓを介して適宜に連接されている。また、内側板４５と舌片４８の間には四角状開口４９が形成されている。
【００２１】
この構成のブランク４０’を、各折り目線ｒを介し、天板４３に対して側板４２、４４を谷折りして立ち上げ、裏板４１を天板４３に沿わせて内側板４５を谷折りして立ち上げ、舌片４８を山折りして外側板４４に沿わせる。この組立途中又は組立前後に、図８に示す点模様部分に糊や両面テープ等によって貼着面を形成し、その部分において対峙する板（片）を適宜に貼着する。なお、図中、内側板４５側の舌片４８と襠片４７の貼着面は図示の裏面とする。この蓋４０は、図２に示すように、側壁下縁に上記開口４９を有するものとなる。
【００２２】
中敷き５０は、図９に示すように、長方形状のボール紙製底板５１と、その底板５１の上に並行に設けられるボール紙製中敷き片５２、５２と、中敷き片５２の並行方向一端に固定される硬質プラスチック製の断面Ｌ字状の押し上げ片５３とからなる。
底板５１の周縁には適宜な間隔でもって突起（片）５１ａが設けられており、中敷き５０（底板５１）を外箱１０内に嵌めると、その突起５１ａが外箱１０の側壁内面下部に切り目線ｓで形成された切り起こし孔に嵌り込んで底板５１（中敷き５０）が外箱１０の底面に固定される。
【００２３】
中敷き片５２はその一側部の起伏片５５に押し上げ片５３の一片が貼着によって固定され、その固定部分は、ミシン目状折り目線ｒ’を介して中敷き片５２の本体（中央部）に対して屈曲可能となっている。中敷き片５２の他側部に切り起こしによって起伏片５４が形成されており、この起伏片５４は、その先端部が折り目線を介して折曲可能となって底板５１に貼着（点模様部分）によって固定される。その貼着は、底板５１の中敷き片５２のｃ部分を位置合わせて行う。なお、図中の貼着面は図示の裏面とする。
【００２４】
このため、図５（ａ）に示すように、この対の中敷き片５２、５２が底板５１に並行に設けられた状態から、同図（ｂ）に示すように、押し上げ片５３がそのＬ字状の稜線５３ｃを支点として回動すると、中敷き片５２が起伏片５４、５５の起立を伴って斜めに上昇する。このとき、起伏片５４の貼着部から屈曲線までの長さＬ１と中敷き片５２の屈曲線から押し上げ片５３の屈曲部（稜線）までの長さ（起伏片５５の長さ）Ｌ２が同一（Ｌ１＝Ｌ２）とされているため（図５（ａ）参照）、押し上げ片５３の回動による起伏片５５及び起伏片５４の両起立高さは同じとなって、中敷き片５２は水平を保って上昇し、このため、内箱２０も水平を保って（傾くことなく）上昇する。
【００２５】
この実施形態の組箱（マジックボックス）Ｐ１は以上の構成であり、図１、図３に示すように、外箱１０、内箱２０、蓋４０及び中敷き５０を組み立て、図１、図２に示すように、外箱１０内に、まず中敷き５０を嵌め、その押し上げ片５３を開口１９から突出させ、その突出部分（片）を蓋４０の開口４９から蓋４０の内側板４５と舌片４８の間に差し込む。このとき、その突出片は内側板４５、舌片４８のどちらか一方、又は両者に貼着することができる。この後、蓋４０の側板４４の舌片４８を外箱１０の底板１１に貼着し、外箱１０に蓋４０を取り付ける。
【００２６】
その蓋４０を開けた状態で（図１（ｂ）参照）、外箱１０内に中敷き５０を介在して内箱２０を入れる。この状態の内箱２０内に、化粧品等の商品Ａを凹部２９に嵌める。この状態で蓋４０を閉じれば、その商品Ａを包装した組箱（包装箱）となる（図１（ａ））。
【００２７】
この包装箱Ｐ１は、図１（ａ）、図２（ａ）に示す蓋４０を閉じた状態から、両図（ｂ）に示すように、蓋４０を開けると（開放すると）、図５（ａ）から同図（ｂ）に示すように、押し上げ片５３がそのＬ字状の稜線５３ｃを支点として回動し、中敷き片５２が起伏片５４、５５の起立に伴って水平を保ちながら斜めに上昇する（図１０（ａ）→同（ｂ）→同（ｃ）参照）。この上昇に伴って内箱２０が持ち上げられる。
すなわち、内箱２０に収納された全商品Ａがほぼ水平を保って持ち上げられて、蓋４０を開けた者に迫ってくるため、その驚きとともに、その商品Ａの高級感を醸し出す。
【００２８】
以上の実施形態の蓋４０は、箱Ｐ１の長手方向の中程で分割しているが、短手方向の中程で分割することもできる。この場合は、中敷き５０は外箱１０の長辺間でその長さ方向に並列されたものとなり、開口１９は外箱１０の長辺側の側板１２に形成し、その開口１９に押し上げ片５３が入り込むこととなる。
また、以上の蓋４０を２分割した組箱において、中敷き５０を設けずに、各蓋４０、４０に対応して押し上げ片５３をそれぞれ設け、その押し上げ片５３のみで内箱２０を持ち上げるようにすることもできる（図１８等で示す下記の実施形態参照）。このとき、両押し上げ片５３の持ち上げ高さを異ならせれば、内箱２０は傾いて持ち上げられることとなる。
【００２９】
この発明に係わる四角状組箱の他の実施形態を図１１〜図１８に示し、この組箱Ｐ２は、図１１に示すように、四角状外箱６０と、その外箱６０内に上下動可能に納めた四角状内箱７０と、外箱６０の一側に起伏可能に設けた四角状蓋９０とからなる。
【００３０】
外箱６０は、図１５に示すボール紙製ブランク６０’から形成し、底板６１、長辺側の外側板６２、６２、同内側板６３、短辺側の外側板６４、同内側板６５、内側板６３の両側のフラップ片６６、６６、長短の両外側板６２、６４の側縁間の襠片６７、及び舌片６８とからなり、それらは折れ目線ｒ及び切り目線ｓを介して適宜に連接されている。また、底板６１と外側板６２及び内側板６３と舌片６８の間には四角状開口６９が形成されている。さらに、長辺側の一方の内側板６３の上部となる部分両側に孔６９ａが形成されている。
【００３１】
この構成のブランク６０’を、各折り目線ｒ又は切り目線ｓを介して側板６２、６３、６４、６５を順々に谷折り又は山折りし、フラップ片６６は相互の切り目線ｓでもって噛み合わせて図１１、図１３（ｂ）に示す外箱６０とする。この外箱６０は、図１３（ｂ）に示すように、長方形をした四角状箱であって、その長辺側の側壁下縁に上記開口６９を有するものとなる。
【００３２】
内箱７０は、図１６（ａ）示すボール紙製ブランク７０’から形成し、底板７１、天板７３、長辺側の側板７２、７２、短辺側の内側板７４、同外側板７５、側板７２の両側のフラップ片７６、７６及び舌片７８とからなり、それらは折れ目線ｒ及び切り目線ｓを介して適宜に連接されている。その長辺側の一方の側板７２の幅Ｗ１は他方の側板７２の幅Ｗ２に対して短く（Ｗ１＜Ｗ２）は、また、底板７１の幅Ｗ３は天板７３の幅Ｗ４に対して短くなっており（Ｗ３＜Ｗ４）、図１３（ａ）に示すように、この内箱７０を組み立てると、底板７１と天板７３が並行を維持しつつ、一方の側板（同図において前面側板）７２は両板７１、７３に対しほぼ垂直に立ち上がっている一方、他の側板（同後面側板）７２は天板７３に対して下り勾配の傾斜面となっている。
【００３３】
天板７３には、上記実施形態と同様に、適宜な位置に切り目線ｓ及び折り目線ｒが形成されてその切り目線ｓ及び折り目線ｒを介してその部分を押し込むことによって商品Ａの収容用凹部７９を形成するようになっている。さらに、一方の外側板７２一側の天板７３との連接部には切り目線ｓでもって支持片７７が形成され、同外側板７２の他側には係止片７７ａが形成されている。
【００３４】
内箱７０には中仕切８０が挿入され、その中仕切８０は図１６（ｂ）に示すボール紙製ブランク８０’から形成し、底板８１、その両側の側板８２、８２、天板８３、その一側の側板８４とからなり、折り目線ｒを介し、底板８１に対して側板８２を谷折りし、さらに天板８３及び側板８４を山折りして、図１４に示す態様とする。側板８２及び天板８３にはその両者の折り目線ｒを跨いで種々の形状の孔８５が形成されており、図１３（ａ）に示すように、中仕切８０を内箱７０内に挿入すると、その孔８５の一部の縁が上記収納用凹部７９における商品Ａの受け部８５ａとなる。
【００３５】
蓋９０は、図１７（ａ）に示すボール紙製ブランク９０’から形成し、天板９３、その短辺側の側板９２、同長辺側の外側板９４及び裏板９１、その一側の内側板９５、側板９２、９４の側縁間の襠片９７及び舌片９８とからなり、それらは折れ目線ｒ及び切り目線ｓを介して適宜に連接されている。また、内側板９５と舌片９８の間には四角状開口９９が形成されている。
【００３６】
この構成のブランク９０’を、各折り目線ｒを介し、天板９３に対して側板９２、９４を谷折りして立ち上げ、裏板９１を天板９３に沿わせて内側板９５を谷折りして立ち上げ、舌片９８を山折りして外側板９４に沿わせる。この組立途中又は組立前後に、図１７に示す点模様部分に糊や両面テープ等によって貼着面を形成し、その部分において対峙する板（片）は貼着する。なお、図中の襠片９７の貼着面は図示の裏面とする。この蓋９０は、図１２に示すように、側壁下縁に上記開口９９を有するものとなる。この開口９９から上記押し上げ片５３と大きさや長さは異なるが、図１７（ｂ）に示す、断面Ｌ字状の硬質プラスチック製押し上げ片５３ａの一片を内側板９５と舌片９８の間に挿入する。このとき、その押し上げ片５３ａの一片はその板９５、９８の間に貼着することができる。
【００３７】
この実施形態の組箱（マジックボックス）Ｐ２は、以上の構成であり、図１１、図１３に示すように、外箱６０、内箱７０、蓋９０を組み立て、図１１、図１２に示すように、外箱６０内に、その開口６９から押し上げ片５３ａを挿入し、その状態で、蓋９０の側板９４の舌片９８を外箱６０の底板６１に貼着し、外箱６０に蓋９０を取り付ける。
【００３８】
その蓋９０を開けた状態で（図１１（ｂ）参照）、外箱６０内に内箱７０を入れる。このとき、内箱７０の支持片７７を外箱６０内面の孔６９ａに差し込む。この後、図１２に示すように、支持片７７の前端部を上方に少し折り曲げて抜け止めする。この状態の内箱７０内に、化粧品等の商品Ａを凹部７９に嵌める。この状態で蓋９０を閉じれば、その商品Ａを包装した組箱（包装箱）となる。内箱７０を外箱６０に入れる前に商品Ａをその内箱７０に納めることができる。
【００３９】
この包装箱（組箱）Ｐ２は、図１１（ａ）、図１２（ａ）に示す蓋９０を閉じた状態から、両図（ｂ）に示すように、蓋９０を開けると（開放すると）、図１２（ａ）から同図（ｂ）に示すように、押し上げ片５３ａがそのＬ字状の稜線５３ａｃを支点として回動し、この回動に伴って支持片６９ａ（７７）を支点として内箱７０が前屈み状態に持ち上がる（図１８（ａ）→同（ｂ）→同（ｃ）参照）。このとき、内箱７０の一側面７２が下方内側に傾斜する面となっているため、図１２（ａ）、図１８（ａ）に示すように、内箱７０の天板７３は外箱６０の上面をほぼ被っていても（外箱上面と天板７３の大きさがほぼ同じであっても）、内箱側面７２と外箱内側面６３との干渉が避けられて内箱７０は円滑に回動する。
すなわち、内箱２０に収納された商品Ａは前屈み状態に円滑に持ち上げられて、蓋９０を開けた者に迫ってくるため、その驚きとともに、その商品Ａの高級感を醸し出す。
【００４０】
この組箱Ｐ２において、支持片７７を省略することができる。この場合は、内箱７０は押し上げ片５３の反対側の側板６２、６３の下縁を支点として起伏することとなる。このとき、内箱７０の下面の一側（支持片７７を設けた側）に上記起伏片５４を設ければ、押し上げ片５３ａの回動に伴ってその起伏片５４が起立して内箱７０が持ち上げ得るものとなる。この場合、起伏片を押し上げ片５３ａに紐糸等で連結して押し上げ片５３ａの回動が起伏片に確実に伝わるようにすることが好ましい。
【００４１】
また、この組箱Ｐ２においても、下記の実施形態で示すように、上記中敷き５０を外箱６０の底面と内箱７０の下面に介在することができる。このとき、支持片７７を省略すれば、内箱７０は傾斜して持ち上がらず、上記組箱Ｐ１と同様に水平を保った状態で持ち上がるようにすることができる。押し上げ片５３ａは、一つに限らず、二個、三個等と任意であり、そのとき、その各押し上げ片５３ａは等間隔が好ましい。また、中敷き片５２を内箱７０の下面に貼着（固定）すれば、中敷き片５２の上昇とともに、内箱７０は斜めに持ち上がるものとなる。この場合、その斜めに上昇分、外箱６０はその横断面が斜め上昇方向に徐々に広くなるものとする。この態様は、図１等の実施形態において、下記の実施形態で示すように、蓋４０が一方のみの（分割しない）場合においても採用し得る。
【００４２】
その蓋４０が一方のみの場合の実施形態を図１９〜図２４に示す。この実施形態の組箱（マジックボックス）Ｐ３は、上記組箱Ｐ２において、組箱Ｐ１の中敷き５０に相当する中敷き５０１を設けたものである。
その中敷き５０１は、図２４に示すように、一枚の連続した底板５１’と中敷き片５２’とからなり、その底板５１’に起伏片５４が切欠きにより設けられ、中敷き片５２’の各側縁に起伏片５５、５６が設けられ、その幅Ｌ３、Ｌ２、Ｌ１はＬ１＜Ｌ３＜Ｌ２に設定されている。このため、図２４（ｂ）、（ｃ）に示すように、中敷き片５２’は各起伏片５４、５５、５６を介して立ち上がる（起立する）と、押し上げ片５３に向かって徐々に高くなる傾斜面をなす（同図（ｃ）参照）。
【００４３】
この実施形態の組箱Ｐ３において、組箱Ｐ１における起伏片５４は、中敷き片５２’の中程の支えとなっており、省略することもできる（図２５（ａ）参照）。一方、底板５１’と中敷き片５２’を切り離した場合は、組箱Ｐ１と同様に中敷き片５２’の起伏片５４を底板５１’に設けたり、同起伏片５５に舌片を設けてその舌片を折り目線を介して底板５１’に貼着したりする。
【００４４】
この組箱Ｐ３の外箱１０１は、図２１に示すボール紙製ブランク１０’’から形成し、そのブランク１０’’は図６に示す外箱１０のブランク１０’と基本構成は同じであって、同一物を同一符号で示し、開口１９が底板１１の一側のみとなり、フラップ片１６を内側板１３の端縁に設けた点等が異なる。
この構成のブランク１０’’も、上記外箱１０と同様に、各折り目線ｒ及び切り目線ｓを介して側板１２、１３、１４、１５を順々に谷折り又は山折りし、フラップ片１６は相互の切り目線ｓでもって噛み合わせて図１９（ｂ）及び図２０に示す箱１０１とする。この外箱１０１は、図１９に示すように、長方形をした四角状（平面視四角形状）箱であって、その一方の短辺側の側壁下縁に上記開口１９を有するものとなる（図２０（ｂ）参照）。
【００４５】
この組箱Ｐ３の内箱２０１は、図２２（ａ）に示すボール紙製ブランク２０’’から形成し、このブランク２０’’も図７（ａ）に示す内箱２０のブランク２０’と基本構成は同じであって、同一物を同一符号で示し、商品Ａの収容用凹部２９の数が異なる程度である。
また、この内箱２０１にも中仕切が挿入され、その中仕切は図２２（ｂ）に示すボール紙製ブランク３０’’から形成し、このブランク３０’’も同様に、図７（ｂ）に示す仲仕切３０のブランク３０’と基本構成は同じであって、同一物を同一符号で示し、商品Ａの受け部用孔３５の数が異なる程度である。
この内箱２０１と仲仕切のブランク２０’’、３０’’も、上記内箱２０及び仲仕切３０と同様に、各折り目線ｒ及び切り目線ｓを介して側板３２、３３、３４を順々に谷折り又は山折りして組み立てて、内箱２０１及び仲仕切とする（図３、図４を参照し、その組立状態の図は省略する）。
【００４６】
この組箱Ｐ３の蓋９０１は、図２３に示すボール紙製ブランク９０’’から形成し、図１７に示す蓋９０のブランク９０’と基本構成は同じであって、同一物を同一符号で示し、裏板９１の両側にも側板９２’を設けたものである。このため、強度の高い側板となる。
この構成のブランク９０’’を、同様にして組み立てて、図１９及び図２０に示す蓋９０１を得る。
【００４７】
この実施形態の組箱（マジックボックス）Ｐ３は以上の構成であり、組箱Ｐ１、Ｐ２と同様に、外箱１０１、内箱２０１、蓋９０１及び中敷き５０１を組み立て、外箱１０１内に、まず中敷き５０１を嵌め、その押し上げ片５３を開口１９から突出させ、その突出部分（片）を蓋９０１の開口９９から蓋９０１の内側板９５と舌片９８の間に差し込み、その突出片を舌片９８に貼着する。この後、蓋９０１の側板９４の舌片９８を外箱１０１の底板１１に貼着し、外箱１０１に蓋９０１を取り付ける。
【００４８】
その蓋９０１を開けた状態で（図２０（ｃ）参照）、外箱１０１内に中敷き５０１を介在して内箱２０１を入れる。この状態の内箱２０１内に、化粧品等の商品Ａを凹部２９に嵌める。この状態で蓋９０１を閉じれば、その商品Ａを包装した組箱（包装箱）となる（図１９（ａ）、図２０（ａ））。
【００４９】
この包装箱（組箱）Ｐ３は、図１９（ａ）、図２０（ａ）に示す蓋９０１を閉じた状態から、図１９（ｂ）に示すように、蓋９０１を開けると（開放すると）、図２０（ａ）から同図（ｂ）さらに同図（ｃ）に示すように、押し上げ片５３がそのＬ字状の稜線５３ｃを支点として回動し、中敷き片５２’が起伏片５４、５５、５６の起立に伴って斜めに上昇する。この上昇に伴って内箱２０が持ち上げられる。
すなわち、内箱２０１に収納された全商品Ａが斜めに持ち上げられて、内箱２０１は斜めにせり上がって、外箱１０１の反対から見た状態において、斜めにせり上がった展示態様となる（図１９（ｂ）参照）。このため、蓋９０１を開けた者に迫ってくるため、その驚きとともに、その商品Ａの高級感を醸し出す。
【００５０】
なお、上記実施形態の組箱Ｐ３において、図２５（ａ）に示すボール紙製ブランク５０’’’から形成した中敷き５０２とし、その起伏片５５、５６の幅Ｌ１、Ｌ２が同一（Ｌ１＝Ｌ２）に設定されたものとすれば、組箱Ｐ１と同様に、内箱２０は平行を保ってせり上がる。このとき、中程の起伏片５４を設けることができる。
【００５１】
上記各実施形態において、上記押し上げ片５３、５３ａを貼着した蓋９０１、中敷き片５２、５２’の押し上げ片５３、５３ａの周りに、図１９（ｂ）、図２３及び図２４（ａ）に示すように、ミシン目状切り目ｃを形成して、その押し上げ片５３、５３ａを貼着した蓋９０１及び中敷き片５２、５２’の部分を切り離し可能とすれば、押し上げ片５３、５３ａが紙製の蓋９０１や中敷きとは異なる材料（例えば、プラスチック等）でできて蓋９０１と中敷きに貼着されている場合、その切り目ｃを介してプラスチック製押し上げ片５３、５３ａを紙製等の他の中敷きや蓋９０１の部分と容易に切り離され得る（むしり取り得る）ため、分別回収に有利となる。
【００５２】
また、各実施形態において、上記押し上げ片５３、５３ａの断面Ｌ字状の屈曲角度（図２０（ｃ）のθ参照）は、蓋を被せた際、その蓋が外箱にすっぽり嵌る（被さる）ように、９０度等と適宜に設定すれば良いが、９０度未満とすれば、例えば、８５度程度とすれば、蓋が外箱に対して前屈みになるため、しっくり被さる。また、９０度未満であると、図１（ｂ）、図１１（ｂ）、図１９（ｂ）の蓋を開放した際、その開放状態が安定する。
【００５３】
この発明に係る組箱の材料は、ボール紙に限らず、プラスチック板、ダンボール紙等の種々のものを採用できる。また、押し上げ片５３、５３ａもプラスチックに限らず、内箱２０、７０を持ち上げる強度を有するものであれば、各種金属、硬い紙等とその材料は任意である。
また、外箱、内箱、蓋等は、この発明が実施し得る限りにおいて、その平面形状は四角状に限らず、五角形等の種々の多角形のみならず、円形、楕円形、菱形等と任意である。  このとき、上記押し上げ片５３、５３ａの形状（厚さ、長さ、幅など）は、その外箱等の平面視形状に合わせて板状のみならず、棒状等と上記回動によって内箱を持ち上げる作用を行い得るように実験などによって適宜に設定する。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００５４】
１０、１０１、６０  外箱
１４、６２  押し上げ片が沿う外箱側面
２０、２０１、７０  内箱
４０  ９０、９０１  蓋
５０、５０１、５０２  中敷き
５２  中敷き片
５３、５３ａ  押し上げ片
５３ｃ、５３ａｃ  押し上げ片の回動支点（稜線）
５４、５５、５６  起伏片
７２  内箱７０の傾斜側面
７７  内箱７０の起伏支点（支持片）
Ａ  商品
Ｐ１〜Ｐ３  組箱
【図１】
0006423239.tif 000002
【図２】
0006423239.tif 000003
【図３】
0006423239.tif 000004
【図４】
0006423239.tif 000005
【図５】
0006423239.tif 000006
【図６】
0006423239.tif 000007
【図７】
0006423239.tif 000008
【図８】
0006423239.tif 000009
【図９】
0006423239.tif 000010
【図１０】
0006423239.tif 000011
【図１１】
0006423239.tif 000012
【図１２】
0006423239.tif 000013
【図１３】
0006423239.tif 000014
【図１４】
0006423239.tif 000015
【図１５】
0006423239.tif 000016
【図１６】
0006423239.tif 000017
【図１７】
0006423239.tif 000018
【図１８】
0006423239.tif 000019
【図１９】
0006423239.tif 000020
【図２０】
0006423239.tif 000021
【図２１】
0006423239.tif 000022
【図２２】
0006423239.tif 000023
【図２３】
0006423239.tif 000024
【図２４】
0006423239.tif 000025
【図２５】
0006423239.tif 000026